(57)【要約】【課題】  所要メモリ容量を格別に増やすことなく多種パターングループを順次に切換え使用可能にする。【解決手段】  ２次元表示手段１１；画素ブロック（４×４画素）の表示階調を表現する複数の発光パターンデータでなる基本パターングループＧＰＴＮＡを格納する階調メモリＰｒｇ；階調メモリから、階調データＢに対応する発光パターンデータＤｂｐを読み出す手段４８，６０；フレーム同期信号をカウントしカウント値Ｙｂに対応して発光パターン変更指示信号Ｙｂを変更する手段４８，４９；階調メモリから読み出された発光パターンデータＤｂｐを、変形指示信号Ｙｂが指定する発光パターンデータに置換するパターン変更手段５５／５５ａ／５５ｂ，５６；および、該パターン変更手段が置換した発光パターンデータＤｂｓのオン／オフ信号を２次元表示手段に出力する手段；を備える。  【選択図】  図５
2006251614.tif 000002
【特許請求の範囲】
【請求項１】
水平および垂直方向に広がりがある表示面をもち、該表示面にオン／オフ信号の区分の画素単位で表示／非表示を行う２次元表示手段；
水平および垂直方向に複数画素でなる画素ブロックの、各画素の発光／非発光を指示するオン／オフ信号の分布と該画素ブロックの表示階調を表現する、それぞれが異なった階調を表現する複数の発光パターンデータでなる基本パターングループを格納する階調メモリ；
該階調メモリから、階調データに対応する発光パターンデータを読み出す手段；
フレーム同期信号をカウントしカウント値に対応して発光パターン変更指示信号を変更する手段；
前記階調メモリから読み出された発光パターンデータを、前記変形指示信号が指定する発光パターンデータに置換するパターン変更手段；および、
該パターン変更手段が置換した発光パターンデータのオン／オフ信号を前記２次元表示手段(11)に出力する手段；
を備える階調表示装置。
【請求項２】
前記基本パターングループは、オンオフ信号の分布パターンが異なる複数であり；
階調表示装置は更に、フレーム同期信号をカウントしカウント値に対応してグループ指示信号を変更する手段；を備え、
前記発光パターンデータを読み出す手段は、前記階調メモリから、前記グループ指示信号が指定する基本パターングループの、階調データに対応する発光パターンデータを読み出す；請求項１に記載の階調表示装置。
【請求項３】
前記発光パターン変更指示信号を変更する手段とグループ指示信号を変更する手段の一方は、フレーム同期信号をカウントして設定値までカウントするとカウントデータを初期化してまたカウントする第１循環カウンタであり、他方は、第１循環カウンタの設定値までのカウントアップをカウントして設定値までカウントするとカウントデータを初期化してまたカウントする第２循環カウンタである；請求項２に記載の階調表示装置。
【請求項４】
前記パターン変更手段は、発光パターン変更指示信号に対応する角度分回転したオン／オフ信号分布の発光パターンデータに変換する回転手段である；請求項１乃至３のいずれか１つに記載の階調表示装置。
【請求項５】
前記パターン変更手段は、発光パターン変更指示信号に対応する画素数分、水平方向にオン／オフ信号をシフトした発光パターンデータに変換する水平シフト手段である；請求項１乃至３のいずれか１つに記載の階調表示装置。
【請求項６】
前記パターン変更手段は、発光パターン変更指示信号に対応する画素数分、垂直方向にオン／オフ信号をシフトした発光パターンデータに変換する垂直シフト手段である；請求項１乃至３のいずれか１つに記載の階調表示装置。
【請求項７】
階調データに対応する発光パターンデータを読み出す手段を、Ｒ，ＧおよびＢ階調データの各表示用に１組、合計で３組備え；更に、少なくとも２組に、他の組とは基本パターングループ又は回転角を異にするための移相値を加える手段を備える；請求項１乃至６の何れか１つに記載のカラーの階調表示装置。
【請求項８】
光像を、それを表す画像データに変換する撮像装置；および、
該撮像装置が発生する画像データを前記２次元表示手段に表示する、請求項１乃至７のいずれか１つに記載の階調表示装置；を備える光像読み取り装置。
【請求項９】
原稿の画像を読み取って該画像を表わす画像データを発生する原稿スキャナ；および、
該原稿スキャナが発生する画像データを前記２次元表示手段に表示する、請求項１乃至７のいずれか１つに記載の階調表示装置；を備える原稿読み取り装置。
【請求項１０】
請求項９に記載の原稿読み取り装置；
画像データが表す画像を用紙上に形成するプリンタ；および、
前記原稿読み取り装置が発生する画像データを前記プリンタの作像特性に適合する画像データに変換する画像データ処理手段；を備える画像形成装置。
【請求項１１】
前記階調表示装置は、前記画像形成装置にユーザ指示を与える操作端末にある；請求項１０に記載の画像形成装置。
【発明の詳細な説明】
【技術分野】
【０００１】
本発明は、２次元表示面に画像を階調表示する装置ならびにそれを用いる機器に関し、例えば、ＣＲＴディスプレイ，液晶ディスプレイ，プラズマディスプレイ，ＥＬディスプレイ，デジタルカメラの画像ディスプレイ，携帯電話の画像ディスプレイ，原稿スキャナ又はフィルムスキャナのディスプレイ，複写機又はファクシミリディスプレイに用いることができる。
【背景技術】
【０００２】
【特許文献１】特許第２７８４００５号明細書
【特許文献２】特開２００１−２１５９３８号公報
【特許文献３】特開平８−２３４１６４号公報。
【０００３】
２値レベルで行列状に配置された表示画素をオン／オフまたは点灯・非点灯動作を行う画像表示装置において、擬似的に階調表示を行う方法として、面積階調法とフレームレートコントロール（ＦＲＣ）法がある。
【０００４】
面積階調法では、表示画素がマトリックス状に配列された画面の単位面積（画素ブロック）に含まれる画素個々について、オン／オフを階調データに基づき制御し、その空間（ブロック面積）での平均の明暗をオン画素数で決定する。すなわちオン画素数で階調を表現する。面積階調法の問題点は表示解像度が、ブロック単位に低下することである。
【０００５】
ＦＲＣ法では、次々に表示される画像フレーム毎に対象画素または対象領域に含まれる画素について、オン／オフのオンデューティ（オン時間又はオン回数／所定時間又は所定回数）を階調データに基づき制御して、所定時間内（フレーム数）の平均の明暗を定める。すなわち階調を表現する。ＦＲＣ法の問題点としては中間調（階調）表示される画素で特に広い面積を同一階調で表示する場合、フリッカと呼ばれるちらつきが発生し、表示品位を劣化させる。
【０００６】
これらの問題に対して、特許文献１に記載の階調表示方式では、表示装置の１画面（フレーム）を複数の区分に分割し、各区分はＮ個の画素を有し、画素数Ｎは階調表示可能な段階数と同数として面積階調法の制御を行う。さらに、複数のフレームにわたって各階調に対応して用意された位相の異なる複数の点灯パターンを順次与えてＦＲＣ法の制御を行うことによりフレーム毎に各区分における点灯パターンを異ならせ、表示解像度の低下を抑え、フリッカの解消を図っている。
【０００７】
また、特許文献２に記載の画像表示装置では、さらに、簡単な構成にて画質の劣化を伴うことなくフリッカおよびムービング現象の抑制を図って、１階調につき４種の面積階調表現パターン（基本パターン）グループGRAPA1〜GRAPA4と、各階調パターンを９０°右回転したパターングループ，１８０°右回転したパターングループおよび２７０°右回転したパターングループを用いる。すなわち各基本パターングループに対して更に３種の回転パターングループを加えて、合計１６種のパターングループを用いて、１６フレームで１６種のパターングループを順次に切換え使用する使用パターングループの切換えを行う（００１８〜００２１）。
【０００８】
そして、特許文献３の階調表示方式では、フレーム毎に階調の異なる複数のパターンを使用し、特定のドットパターンが高い確率で現れるように制御し、目標階調を表現している。
【発明の開示】
【発明が解決しようとする課題】
【０００９】
しかしながら、上記従来技術では、表示階調数を増加した場合、分割した制御面積（画素ブロック）が拡大（ブロック内画素数の増加）しグループ内パターン数（ブロック数）が増大し、パターングループの順次切換えが一巡するフレーム数が増加する。面積階調法の使用パターングループをフレームの切換えに合わせて切換える制御では、順次に切換え使用する使用パターングループを増やすと、パターングループを保持するメモリの所要容量が増大する。また、表示階調数が増加すると、ムービング現象が悪化するといった問題が発生するし、表示品位の劣化といった問題も発生する。
【００１０】
本発明はこのような点に鑑みてなされたもので、パターングループを保持する所要メモリ容量を格別に増やすことなく多種パターングループを順次に切換え使用可能にすることを第１の目的とし、基本パターングループ内パターン数やパターングループの順次切換えが一巡するフレーム数を格別に増やすことなく表示階調数を増やすことを第２の目的とする。
【課題を解決するための手段】
【００１１】
（１）水平(x)および垂直(y)方向に広がりがある表示面をもち、該表示面にオン／オフ信号の区分の画素単位で表示／非表示を行う２次元表示手段(11)；
水平および垂直方向に複数画素でなる画素ブロック(4×4画素マトリクス)の、各画素の発光／非発光を指示するオン／オフ信号の分布と該画素ブロックの表示階調を表現する、それぞれが異なった階調を表現する複数の発光パターンデータ（GPTNA01, GPTNA02, GPTNA03,・・・）でなる基本パターングループ(GPTNA)を格納する階調メモリ(Prg)；
該階調メモリから、階調データ(B)に対応する発光パターンデータ(Dbp)を読み出す手段(48,60)；
フレーム同期信号をカウントしカウント値(Yb)に対応して発光パターン変更指示信号(Yb)を変更する手段(48,49)；
前記階調メモリ(Prg)から読み出された発光パターンデータ(Dbp)を、前記変形指示信号(Yb)が指定する発光パターンデータに置換するパターン変更手段(55/55a/55b,56)；および、
該パターン変更手段(55/55a/55b,56)が置換した発光パターンデータ(Dbs)のオン／オフ信号を前記２次元表示手段(11)に出力する手段(44,45,58,57,70)；
を備える階調表示装置(図５，図１４，図１６，図２０)。
【００１２】
なお、理解を容易にするために括弧内には、図面に示し後述する実施例の対応又は相当要素もしくは相当事項の符号を、例示として参考までに付記した。以下も同様である。
【発明の効果】
【００１３】
これによれば、階調メモリ(Prg)の所要メモリ容量を格別に増やすことなく、多種のパターングループを順次に切換え使用できる。
【発明を実施するための最良の形態】
【００１４】
（２）前記基本パターングループは、オンオフ信号の分布パターンが異なる複数であり；
階調表示装置は更に、フレーム同期信号をカウントしカウント値(Xb)に対応してグループ指示信号(Xb)を変更する手段(48)；を備え、
前記発光パターンデータ(Dbp)を読み出す手段(48,60)は、前記階調メモリから、前記グループ指示信号(Xb)が指定する基本パターングループの、階調データ(B)に対応する発光パターンデータ(Dbp)を読み出す；上記（１）に記載の階調表示装置。
【００１５】
（３）前記発光パターン変更指示信号(Yb)を変更する手段(48,49)とグループ指示信号(Xb)を変更する手段(48)の一方は、フレーム同期信号をカウントして設定値までカウントするとカウントデータを初期化してまたカウントする第１循環カウンタであり、他方は、第１循環カウンタの設定値までのカウントアップをカウントして設定値までカウントするとカウントデータを初期化してまたカウントする第２循環カウンタである；上記（２）に記載の階調表示装置。
【００１６】
（４）前記パターン変更手段(55/55a/55b,56)は、発光パターン変更指示信号(Yb)に対応する角度(0/90/180/270°)分回転したオン／オフ信号分布の発光パターンデータ(Dbs)に変換する回転手段(55,56)である；上記（１）乃至（３）のいずれか１つに記載の階調表示装置。
【００１７】
（５）前記パターン変更手段(55/55a/55b,56)は、発光パターン変更指示信号(Yb)に対応する画素数(0/1/2/3)分、水平(x)方向にオン／オフ信号をシフトした発光パターンデータ(Dbs)に変換する水平シフト手段(55a,56)である；上記（１）乃至（３）のいずれか１つに記載の階調表示装置。
【００１８】
（６）前記パターン変更手段(55/55a/55b,56)は、発光パターン変更指示信号(Yb)に対応する画素数(0/1/2/3)分、垂直(y)方向にオン／オフ信号をシフトした発光パターンデータ(Dbs)に変換する垂直シフト手段(55b,56)である；上記（１）乃至（３）のいずれか１つに記載の階調表示装置。
【００１９】
（７）階調データに対応する発光パターンデータ(Dbp)を読み出す手段(48,60)を、Ｒ，ＧおよびＢ階調データの各表示用に１組、合計で３組備え；更に、少なくとも２組に、他の組とは基本パターングループ又は回転角を異にするための移相値を加える手段(64,65)を備える；上記（１）乃至（６）の何れか１つに記載のカラーの階調表示装置(図１４)。
【００２０】
（８）光像を、それを表す画像データに変換する撮像装置(100)；および、
該撮像装置が発生する画像データを前記２次元表示手段(11)に表示する、上記（１）乃至（７）のいずれか１つに記載の階調表示装置(10)；を備える光像読み取り装置(図1)。
【００２１】
（９）原稿の画像を読み取って該画像を表わす画像データを発生する原稿スキャナ(100,120)；および、
該原稿スキャナが発生する画像データを前記２次元表示手段(11)に表示する、上記（１）乃至（７）のいずれか１つに記載の階調表示装置；
を備える原稿読み取り装置(図1)。
【００２２】
（１０）上記（９）に記載の原稿読み取り装置；
画像データが表す画像を用紙上に形成するプリンタ(200)；および、
前記原稿読み取り装置が発生する画像データを前記プリンタの作像特性に適合する画像データに変換する画像データ処理手段(302)；を備える画像形成装置(図1)。
【００２３】
（１１）前記階調表示装置(10)は、前記画像形成装置にユーザ指示を与える操作端末(10)にある；上記（１０）に記載の画像形成装置。
【００２４】
本発明の他の目的および特徴は、図面を参照した以下の実施例の説明より明らかになろう。
【実施例１】
【００２５】
図１に、本発明の第１実施例の階調表示装置（図２，図４，図５）を装備した操作ボード１０を備えるフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラと直接または間接に通信を行いタイミング制御されて原稿画像の読取りを行う。
【００２６】
スキャナ１００およびプリンタ２００ならびに画像入出力装置を含むエンジンを接続したコントローラボードには、パソコンＰＣが接続したＬＡＮ(Local Area Network)が接続されており、複写機ＭＦ１の内部にあるファクシミリコントロールユニット（ＦＣＵ）には、電話回線ＰＮ（ファクシミリ通信回線）に接続された交換器ＰＢＸが接続されている。この実施例では、フラットベッド方式の原稿読み取りおよびシートスルー読取りを行うことができる。
【００２７】
図２に示す様に、本発明の第１実施例の階調表示装置を装備した操作ボード１０には、液晶タッチパネル１１のほかに、テンキー１５，クリア／ストップキー１６，スタートキー１７，初期設定キー１８，モード切換えキー１９，テスト印刷キー２０，電源キー２１がある。また、図示は省略したが、２次元表示手段である液晶タッチパネル１１の左側には、ＵＲＬ，メール文，ファイル名，フォルダ名等の入力，設定用ならびに短縮登録用の、平仮名を付記したアルファベットキーボードがある。
【００２８】
電源キー２１は、省エネモード（休止モード又は低電力モード）から画像印刷が可能なスタンバイモードに、またその逆への切換えを指示するための操作キーである。省エネモードが設定されている時に電源キー２１が一回押されると、省エネモードからスタンバイモードに切換る。スタンバイモードであるときに電源キー２１が一回押されると、スタンバイモードから休止モードに切換る。テスト印刷キー２０は、設定されている印刷部数に関わらず１部だけを印刷し、印刷結果を確認するためのキーである。
【００２９】
初期設定キー１８を押す事で、機械の初期状態を任意にカスタマイズする事が可能である。省エネモードへの移行時間を設定したり、機械が収納している用紙サイズを設定したり、コピー機能のリセットキーを押したときに設定される状態を任意に設定可能である。初期設定キ−１８が操作されると、各種初期値を設定するための「初期値設定」機能ならびに「ＩＤ設定」機能，「著作権登録／設定」機能および「使用実績の出力」機能等を指定するための選択ボタンが表示される。
【００３０】
液晶タッチパネル１１には、各種機能キーならびにエンジン３００およびコントローラボード４００の動作状態を示すメッセージなどが表示される。液晶タッチパネル１１には、「コピー」機能，「スキャナ」機能，「プリント」機能，「ファクシミリ」機能，「蓄積」機能，「編集」機能，「登録」機能およびその他の機能の選択用および実行中を表わす機能選択キー１４が表示される。機能選択キー１４で指定された機能に定まった入出力画面が表示され、例えば「複写」機能が指定されているときには、図２に示すように、機能キーならびに部数及び画像形成装置の状態を示すメッセージ１２，１３が表示される。機能キー１２の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。また、機能の詳細を指定しなければならない場合（例えばページ印字の種類等）はキーにタッチする事で詳細機能の設定画面がポップアップ表示される。このように、液晶タッチパネル１１は、ドット表示器を使用している為、その時の最適な表示をグラフィカルに行う事が可能である。
【００３１】
図３の（ａ）には、ユーザが機能選択キー１４の中の「読み取り」キーにタッチしたしたときに液晶タッチパネル１１に表示される画像読み取りの入力画面を示し、図３の（ｂ）には、原稿スキャナ１００で読み取った画像の、液晶タッチパネル１１上の表示を示す。図３の（ａ）に示す入力画面にユーザが、所要の入力をして「取込み」ボタンをダブルクリックすることによって、原稿スキャナ１００が画像読み取りをして、読み取った画像が図３の（ｂ）に示すようにパネル１１に表示されるとともに、画像データがメモリ４０６又はＨＤＤ４０１に蓄積される。図３の（ａ）に示す入力画面には、領域指定用のスケール付き領域３１があり、該領域には指定領域を表わす矩形の点線ブロック３２が表示されている。点線ブロック３２の４コーナのそれぞれには、小四角形の操作箇所マーク３３が表示されており、これを指定して上下左右に動かすことにより、点線ブロック３２の形状が矩形を維持したまま変化する。すなわち指定領域の調整ができる。原稿画像取込み指示（「取込み」ボタンのダブルクリック）があったときの点線ブロック３２の対角コーナのｘ（図上横方向），ｙ（縦方向）座標値が、領域指定データとして読み込まれる。
【００３２】
図３の（ａ）に示す入力画面上の「取込み画像」の欄の５つのボタンは、スキャナ画像処理３０３での画像処理特性を指定するものであり、画像読み取り対象の原稿の画像種を表す表示のボタンをワンクリックすることにより、該原稿画像を最適に表現する画像データ処理が指定される。読取りモードの欄の「ＡＤＦを使用」のチェックは、ＡＤＦを用いるシートスルー読み取りの指定を意味し、該チェックがないと、原稿定置方式の読み取り指定である。「ＡＤＦを使用」の場合には、ＡＤＦの原稿台に載せた原稿のすべてを自動的に順次に読み取る。フラットベッド方式の読み取り指定の場合は、「複数取込み」にチェックがないと一枚の原稿読み取りで読み取り作業を終了するが、「複数取込み」にチェックがあると、一枚の原稿読み取りをするとそこで読み取り作業を終了するかの指示入力画面をポップアップ表示して、ユーザが終了を指示するとそこで読み取り作業を終了する。終了を指示しないで「取込み」ボタンをクリックするとさらに一枚の原稿読み取りを行い、終了するかの指示入力画面をポップアップ表示する。
【００３３】
図４には、操作ボード１０の回路ブロックを示す。操作ボード１０の電気制御系の主体は、コントローラボード４００のＣＰＵ４０２とコミュニケーションし、操作ボード１０の入力を読取り、操作ボード１０上の表示を制御するＣＰＵ  １，このＣＰＵ  １の制御プログラムが格納されているＲＯＭ  ２，制御時にデータの一時格納等を行うためのＲＡＭ  ３，液晶タッチパネル１１の描画データを格納するＶＲＡＭ  ７，このＶＲＡＭ  ７に接続され液晶タッチパネル１１の描画タイミング制御およびタッチ入力検知等を行う液晶表示コントローラ（ＬＣＤＣ）６，時刻データを発生する時計ＩＣ  ５等がある。ＬＣＤＣ  ６には、ＣＦＬの光源をバックライト９として有する液晶タッチパネル１１が接続される。ＣＰＵ  １には更に、ＣＦＬバックライト９を駆動するインバータ８，操作キー群１５〜２１のキーマトリクス，表示ＬＥＤのＬＥＤマトリクスおよびそれらのＬＥＤを駆動するＬＥＤドライバ等が接続されている。また、ＣＰＵ  １が接続されたデータバスには、画像処理モード記憶用の不揮発ＲＡＭ（ＮＶＲＡＭ）４が接続されている。
【００３４】
操作ボード１０のＣＰＵ  １は、操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。
【００３５】
ＲＯＭ２には、ＣＰＵ１の動作プログラムの他に、水平および垂直方向に複数画素でなる画素ブロックの、各画素の発光／非発光を指示するオン／オフ信号の分布と該画素ブロックの表示階調を表現する、それぞれが異なった階調を表現する複数の発光パターンデータでなる基本パターングループを、格納している。
【００３６】
図６に、ＲＯＭ２に格納した基本パターングループＧＰＴＮＡ，ＧＰＴＮＢ，ＧＰＴＸＢおよびＧＰＴＮＤの、各グループ内の画素ブロックデータ（階調表現パターン）を示す。該画素ブロックのサイズは、本実施例では、４×４画素マトリクスであり、１画素に１ビットが割り当てられている。該ビットの「１」は表示（点灯；オン）を指示し、「０」は非表示（消灯；オフ）を指示する。
【００３７】
図８の（ａ）に示すように、１画素ブロックの各画素宛ての各ビットをａ〜ｐと表わすと、実際にメモリに格納されている１画素ブロックの１６ビットデータは、図８の（ｂ）に示す２バイトデータである。
【００３８】
図６および図７を参照する。各基本パターングループ（例えばＧＰＴＮＡ）は、図６に示すように、０〜１５の各階調を表わす１６個の画素ブロックデータ（ＧＰＴＮＡ０〜ＧＰＴＮＡ１５；パターンデータ）で構成されているが、ＲＯＭ２には、図７に示すように、０〜３１の各階調宛てに、４グループの各画素ブロックデータが、基本グループＮｏ．０〜３（図５のＮｂｇで表わされる）のそれぞれに宛てて格納されている。
【００３９】
図４を再度参照すると、ＲＯＭ２に格納されている画素ブロックデータ（図７）は、操作ボード１０に動作電圧が加わったときの初期化において、ＣＰＵ１が、ＲＡＭ３のメモリ領域に割り付けたパターンレジスタＰｒｇ（図５）に書込み、その後の階調表示に使用する。表示データ（階調データ）はＶＲＡＭ７に書込まれて、ＬＣＤ１１のラスター表示の水平ブロック同期信号（図５の画素カウンタ４４のカウントオーバ信号：画素同期信号の４パルスにつき１パルス）に同期して、ＬＣＤＣ６によってＶＲＡＭ７から読出されてパターンレジスタＰｒｇの画素ブロックデータの読出しアドレスに用いられる。パターンレジスタＰｒｇから読み出された画素ブロックデータは、ＬＣＤ１１のラスター表示の画素同期信号（画素同期パルス）に合わせて、ＬＣＤＣ６からＬＣＤ１１に出力される。
【００４０】
図５に、ＬＣＤＣ６の機能構成の概要を示す。ＶＲＡＭ７に格納されそしてＬＣＤＣ６によって読み出される表示データは、１６ｂｉｔ（２バイト）構成であり、モノクロ表示時には該１６ｂｉｔのＬＳＢ側５ｂｉｔにモノクロ表示の階調データが格納される。画像データ分離６０が、ＶＲＡＭ７から読み出した１６ｂｉｔのＬＳＢ側４ｂｉｔを階調データとして摘出してアドレス指定データとしてパターンレジスタＰｒｇに出力する。
【００４１】
タイミング制御４０には、ＬＣＤ１１の表示を水平方向（ｘ）で画素（ピクセル）単位で区切る画素同期信号を発生する画素同期信号発生４１，ＬＣＤ１１の表示を垂直方向（ｙ）で画素（ライン）単位で区切る水平同期信号を発生する水平同期信号発生４２，ＬＣＤ１１の表示画面（フレーム）の切換りを表す垂直同期信号を発生する垂直同期信号発生４３がある。水平画素カウンタ４４で画素同期信号（パルス）をカウントして、画素ブロック内の水平方向の画素位置データＸｐを発生し、垂直画素カウンタ４５で垂直同期信号（パルス）をカウントして、画素ブロック内の垂直方向の画素位置データＹｐを発生する。カウンタ４４，４５はいずれも、入力パルスをカウント値４までカウントアップするとカウント値０に復帰しかつカウントオーバ信号（パルス）を出力してまたカウント値０からカウントアップする循環カウンタである。したがって、水平画素カウンタ４４のカウントオーバ信号は水平方向の画素ブロック区切りを表し、垂直画素カウンタ４５のカウントオーバ信号は垂直方向の画素ブロック区切りを表す。
【００４２】
階調表示制御では、４×４画素ブロックでなるセクション内の０〜１５の各画素ブロックに、１６種のパターングループのそれぞれを割りつけるが、ＲＯＭ２に保持しＲＡＭ３のパターンレジスタＰｒｇに書込んで使用するパターングループは、４種のパターングループＧＰＴＮＡ，ＧＰＴＮＢ，ＧＰＴＸＢ，ＧＰＴＮＤしかない。これらを基本パターングループという。
【００４３】
そこで、各基本パターングループから、図５に示す回転５５によって、右９０°回転したパターングループ，右１８０°回転したパターングループおよび右２７０°回転したパターングループ、あわせて３種のパターングループを生成するようにしている。これら３種のパターングループを回転パターングループという。各基本パターングループから３種のパターングループを生成するので、回転パターングループは１２種できる。これに４種の基本パターングループを加えると、総計で１６種のパターングループとなるので、１セクション（４×４画素ブロック）の各ブロック０〜１５に１６種のパターングループの各グループを割り当てることができる。
【００４４】
図９の（ｂ）に、回転５５の構成を示す。回転５５の右９０°回転は、図８の（ａ）に示す画素ブロックデータａ〜ｐ（各１ビット）である２バイトデータを、図９の（ａ）の左端に示す右９０°回転した画素ブロックデータである２バイトデータに変換する、図９の（ｂ）に５５１として示すビット信号線の位置入れ換えである。右１８０°回転は、図８の（ａ）に示す画素ブロックデータである２バイトデータを、図９の（ａ）の中央に示す右１８０°回転した画素ブロックデータである２バイトデータに変換する、図９の（ｂ）に５５２として示すビット信号線の位置入れ換えである。右２７０°回転は、図８の（ａ）に示す画素ブロックデータである２バイトデータを、図９の（ａ）の右端に示す右２７０°回転した画素ブロックデータである２バイトデータに変換する、図９の（ｂ）に５５３として示すビット信号線の位置入れ換えである。なお、図９の（ｂ）には、ビット信号線の位置を入れ換えることにより、回転したデータを出力する回転構成を示すが、ビットデータを入れ変えるデータ処理によっても、同様な回転を行うことができる。
【００４５】
図５を再度参照すると、フレームカウンタ４８は垂直同期信号をカウントして、カウント値が４になるとカウントオーバしてカウント値を０に初期化してまた垂直同期信号をカウントする循環カウンタであり、カウントデータＸｂは、０〜３の値を表す。このカウントデータＸｂが、階調レジスタＰｒｇの基本パターングループを指定する。
【００４６】
フレームブロックカウンタ４９は、カウンタ４８のカウントオーバ信号をカウントして、カウント値が４になるとカウントオーバしてカウント値を０に初期化してまたカウントオーバ信号をカウントする循環カウンタであり、カウントデータＹｂは、０〜３の値を表す。このカウントデータＹｂが、基本パターンの回転角を指定する。
【００４７】
ＸｂとＹｂの組み合わせによって、０〜１５の数値を表すことができ、この数値が、フレーム同期信号の到来毎にかわる。この数値に、表現階調値は同じであるが、オン／オフ分布が異なる１６種の階調パターンのそれぞれが、図１０に示すように、ブロックＮｏ．として割り付けられている。図１０の４グループの中の、左上のグループはＹｂ＝０に、右上のグループはＹｂ＝１に、左下のグループはＹｂ＝２に、そして右下のグループはＹｂ＝３によって、それぞれ指定されるものである。各グループ内の第１番（左端）のブロックはＸｂ＝０に、第２番のブロックはＸｂ＝１に、第３番のブロックはＸｂ＝２に、そして第４番のブロックはＸｂ＝３によって、それぞれ指定されるものである。なお、パターンの内部データは、階調データＢによって指定されるものである。
【００４８】
上述の、フレーム同期信号の、カウンタ４８，４９によるカウントと、カウントデータＸｂによる基本パターングループの指定およびカウントデータＹｂによる回転角度の指定により、図１０に示すブロックＮｏ．が、１セクション（４×４画素ブロック）内に、図１１に示すように割り付けられる。
【００４９】
セレクタ５７は、セレクタ５６が出力する２バイトの画素ブロックデータＤｂｓ（図８の（ｂ）に示すパラレルビット配列ａ〜ｐ）を、出力制御７０に、画像同期信号に同期して、１ビットずつシリアル出力する。すなわち、水平画素カウンタ４４の、画素ブロック内の水平方向の画素位置を表す画素番号データＸｐと、垂直画素カウンタ４５の、画素ブロック内の垂直方向の画素（ライン）位置を表す画素（ライン）番号データＹｐの組み合わせ（画素ブロック内画素位置）を、エンコーダ５８が、図８の（ｂ）に示す２バイト構成の画素ブロックデータ群内のビット位置データＮｐ（０〜１５）に符号化する。セレクタ５７は、２バイト構成の画素ブロックデータ群内の、ビット位置データＮｐが指定するビットデータＤｐを出力する。出力制御７０は、ＬＣＤ１１の表示ラスター走査に同期して、ビットデータＤｐをＬＣＤ１１にシリアル出力する。
【００５０】
１セクションにブロック０〜ブロック１５を使用したので、１６×１６画素マトリックスとなるセクションの点灯画素（「１」）は図１２に示す分布となる。最終的に各画素の点灯回数は、図１０に示すように階調データＢが５の場合は、図１３に示すように、５／１６回となり、４×４画素マトリクス（画素ブロック）内のすべての画素が５／１６回点灯する。
【００５１】
なお、図５に示す実施例では、画素ブロックデータａ〜ｐをセレクタ５７から、画素同期信号に同期して１ビットづつ出力するが、表示データは、水平ブロックカウンタ６７のカウントデータＸａ（１フレーム上の水平方向の画素ブロック番号を表わす）と、垂直ブロックカウンタ６８のカウントデータｙａ（１フレーム上の垂直方向の画素ブロック番号を表わす）でアクセスされてＶＲＡＭ７から１個が読み出されるので、ＶＲＡＭ７から読み出される１個の表示データＡに、ＬＣＤ１１の４×４表示画素が対応する。仮に、１個の表示データＡが表示１画素に対応付けられるものと想定されているときには、想定画面サイズの４×４倍の拡大表示になる。これを１倍の表示にする場合には、水平ブロックカウンタ６７を、画素同期信号をカウントし水平同期信号でクリアされる水平画素カウンタに変更するか、又はカウントクロックを画素同期信号に変更しかつクリア信号を水平同期信号に変更し、更に、垂直ブロックカウンタ６８を、水平同期信号をカウントし垂直同期信号でクリアされる垂直画素カウンタに変更するか、又はカウントクロックを水平同期信号に変更しかつクリア信号を垂直同期信号に変更する。
【実施例２】
【００５２】
図１４に、Ｒ，Ｇ，Ｂカラー表示に適用する、第２実施例を示す。これは、図５に示す第１実施例のＬＣＤＣ６を、大略でＲ，Ｇ，Ｂ用に各１組、合計３組の、１６／３２階調切換え制御６１および中間調処理５０を備えるものとし、しかも、Ｇ移相値レジスタ６４およびＢ移相値レジスタ６５を付加して、Ｇ中間調処理においてＧ移相値レジスタ６４の移相値分、Ｘｂ，Ｙｂ（によって表されるカウントデータ０〜１５）の値をシフトし、かつ、Ｂ中間調しょりにおいてＢ移相値レジスタ６５の移相値分、Ｘｂ，Ｙｂ（によって表されるカウントデータ０〜１５）の値をシフトするようにした。そのため、本実施例では、フレーム同期信号の供給を、Ｒ中間調処理に供給開始するときからＧ移相値レジスタ６４の移相値分遅らしてＧ中間調処理に供給開始し、Ｂ移相値レジスタ６４の移相値分遅らしてＢ中間調処理に供給開始する各遅延回路をＧ中間調処理およびＢ移相値レジスタ６４に備えている。
【００５３】
カラー表示時には、ＶＲＡＭ７に、１６ｂｉｔ／画素のＭＳＢ側からＲ(赤)を５ｂｉｔ、Ｇ(緑)を６ｂｉｔ、Ｂ(青)を５ｂｉｔとした表示データが格納される。ＶＲＡＭ７から読み出した表示データを、画像データ分離６０が、Ｒ(赤)を５ｂｉｔ、Ｇ(緑)を６ｂｉｔ、Ｂ(青)を５ｂｉｔに分割し、各色ともそのうちＭＳＢ側４ｂｉｔを取り出し、それらを各５ｂｉｔの階調データＢｒ，Ｂｇ，Ｂｂとしてパターンレジスタ３に出力する。
【００５４】
中間調処理５０の各組（各色）宛ての中間調処理は、図５〜図１３を参照して前述したパターンデータ読み出し出力を行う。加えて、Ｒ，Ｇ，Ｂの各色の階調オン／オフパターン（画素ブロックのパターンデータ）が同一とならないように、Ｇ移相値レジスタ６４の移相値分の遅れをＧ用の中間調処理に加え、かつ、Ｂ移相値レジスタ６５の移相値分の遅れをＢ用の中間調処理に加えて、色間で指定するブロック番号が異なるようにする。
【００５５】
図１５に、カラー表示における、フレーム切換りに連動するセクション内のブロック番号シフトを示す。図示例は、Ｇ移相値レジスタ６４の移相値を５とし、Ｂ移相値レジスタ６５の移相値を１０とした場合のものである。Ｒの表示制御におけるブロック０〜ブロック１５の配置は図１１と同様となる。Ｇの表示制御におけるブロック０〜ブロック１５の配置は、Ｇ移相値レジスタ６４に移相値５が設定されている場合、セクションの１行目の左端にブロック５が配置され、ブロック６，ブロック７と４行目までが順次配置される。Ｂの表示制御におけるブロック０〜ブロック１５の配置は、Ｂ移相値レジスタ６５に移相値１０が設定されている場合、セクション１行目の左端にブロック１０が配置され、ブロック１１，ブロック１２と４行目まで順次配置される。このようにすることにより、各ブロックの配置位置でのＲ，Ｇ，Ｂの階調オン／オフパターンは、同一時点には、すべて異なるパターンとなる。
【００５６】
第２実施例のその他の構成および機能は、上述の図１〜図１３に示す第１実施例のものと同様である。
【実施例３】
【００５７】
図１６に、第３実施例のＬＣＤＣ６の機能構成の概要を示す。第３実施例は、第１実施例の回転器５５を水平シフタ５５ａに変更し、基本パターングループの階調値対応のパターンを変更したものである。その他の構成は、図１〜１３に示した第１実施例と同様である。以下では、相違部分を説明する。
【００５８】
水平シフタ５５ａは、図１８の（ａ）に示すように、基本パターンを、その内部のデータを水平ｘ方向に１画素シフトするｘ方向１画素シフト，水平ｘ方向に２画素シフトするｘ方向２画素シフトおよび水平ｘ方向に３画素シフトするｘ方向３画素シフトを行うものであり、いずれのシフトも、第１実施例の回転器５５と同様に、２バイト構成の基本パターンデータのデータ位置を電気リード配線によって、上記画素シフトしたものに入れ換えるものである。カウンタ４９のカウントデータＹｂがシフト量を指定する。すなわち、Ｙｂ＝０は水平ｘ方向画素シフト量０を、Ｙｂ＝１は水平ｘ方向画素シフト量１を、Ｙｂ＝２は水平ｘ方向画素シフト量２を、Ｙｂ＝３は水平ｘ方向画素シフト量３を、それぞれ指定する。
【００５９】
ＶＲＡＭ７に格納されそしてＬＣＤＣ６によって読み出される表示データは、第１実施例と同様に、１６ｂｉｔ（２バイト）構成であり、モノクロ表示時には該１６ｂｉｔのＬＳＢ側５ｂｉｔにモノクロ表示の階調データが格納される。画像データ分離６０が、ＶＲＡＭ７から読み出した１６ｂｉｔのＬＳＢ側４ｂｉｔを階調データとして摘出してアドレス指定データとしてパターンレジスタＰｒｇに出力する。
【００６０】
図１７に、第３実施例においてＲＯＭ２に格納した基本パターングループＧＰＴＮＡ，ＧＰＴＮＢ，ＧＰＴＸＢおよびＧＰＴＮＤの、各グループ内の画素ブロックデータ（階調表現パターン）を示す。該画素ブロックのサイズは、本実施例では、４×４画素マトリクスであり、１画素に１ビットが割り当てられている。該ビットの「１」は表示（点灯；オン）を指示し、「０」は非表示（消灯；オフ）を指示する。
【００６１】
カウンタ４８，４９のカウントデータＸｂ，Ｙｂの組み合わせによって、０〜１５の数値を表すことができ、この数値が、フレーム同期信号の到来毎にかわる。この数値に、表現階調値は同じであるが、オン／オフ分布が異なる１６種の階調パターンのそれぞれが、図１８の（ｂ）に示すように、ブロックＮｏ．として割り付けられている。図１８の（ｂ）の４グループの中の、左上のグループはＹｂ＝０に、右上のグループはＹｂ＝１に、左下のグループはＹｂ＝２に、そして右下のグループはＹｂ＝３によって、それぞれ指定されるものである。各グループ内の第１番（左端）のブロックはＸｂ＝０に、第２番のブロックはＸｂ＝１に、第３番のブロックはＸｂ＝２に、そして第４番のブロックはＸｂ＝３によって、それぞれ指定されるものである。なお、パターンの内部データは、階調データＢによって指定されるものである。
【００６２】
上述の、フレーム同期信号の、カウンタ４８，４９によるカウントと、カウントデータＸｂによる基本パターングループの指定およびカウントデータＹｂによる水平シフト量の指定により、図１８の（ｂ）に示すブロックＮｏ．が、１セクション（４×４画素ブロック）内に、図１１に示すように割り付けられる。
【００６３】
セレクタ５７は、セレクタ５６が出力する２バイトの画素ブロックデータＤｂｓ（図８の（ｂ）に示すパラレルビット配列ａ〜ｐ）を、出力制御７０に、画像同期信号に同期して、１ビットずつシリアル出力する。すなわち、水平画素カウンタ４４の、画素ブロック内の水平方向の画素位置を表す画素番号データＸｐと、垂直画素カウンタ４５の、画素ブロック内の垂直方向の画素（ライン）位置を表す画素（ライン）番号データＹｐの組み合わせ（画素ブロック内画素位置）を、エンコーダ５８が、図８の（ｂ）に示す２バイト構成の画素ブロックデータ群内のビット位置データＮｐ（０〜１５）に符号化する。セレクタ５７は、２バイト構成の画素ブロックデータ群内の、ビット位置データＮｐが指定するビットデータＤｐを出力する。出力制御７０は、ＬＣＤ１１の表示ラスター走査に同期して、ビットデータＤｐをＬＣＤ１１にシリアル出力する。
【００６４】
１セクションにブロック０〜ブロック１５を使用したので、１６×１６画素マトリックスとなるセクションの点灯画素（「１」）は図１９に示す分布となる。最終的に各画素の点灯回数は、図１８の（ｂ）に示すように階調データＢが５の場合は、図１３に示すように、５／１６回となり、４×４画素マトリクス（画素ブロック）内のすべての画素が５／１６回点灯する。
【００６５】
１セクションにブロック０〜ブロック１５を使用したので、１６×１６画素マトリックスとなるセクションの点灯画素（「１」）は図１９に示す分布となる。最終的に各画素の点灯回数は、図１８の（ｂ）に示すように階調データＢが５の場合は、図１３に示すように、５／１６回となり、４×４画素マトリクス（画素ブロック）内のすべての画素が５／１６回点灯する。
【００６６】
この第３実施例の水平シフタ５５ａを用いても、第２実施例と同様なカラー階調表示装置を構成することが可能である。
【実施例４】
【００６７】
図２０に、第４実施例のＬＣＤＣ６の機能構成の概要を示す。第４実施例は、第１実施例の回転器５５を垂直シフタ５５ｂに変更し、基本パターングループの階調値対応のパターンを変更したものである。その他の構成は、図１〜１３に示した第１実施例と同様である。以下では、相違部分を説明する。
【００６８】
垂直シフタ５５こは、図２２の（ａ）に示すように、基本パターンを、その内部のデータを垂直ｙ方向に１画素シフトするｙ方向１画素シフト，垂直ｙ方向に２画素シフトするｙ方向２画素シフトおよび垂直ｙ方向に３画素シフトするｙ方向３画素シフトを行うものであり、いずれのシフトも、第１実施例の回転器５５と同様に、２バイト構成の基本パターンデータのデータ位置を電気リード配線によって、上記画素シフトしたものに入れ換えるものである。カウンタ４９のカウントデータＹｂがシフト量を指定する。すなわち、Ｙｂ＝０は垂直ｙ方向画素シフト量０を、Ｙｂ＝１は垂直ｙ方向画素シフト量１を、Ｙｂ＝２は垂直ｙ方向画素シフト量２を、Ｙｂ＝３は垂直ｙ方向画素シフト量３を、それぞれ指定する。
【００６９】
ＶＲＡＭ７に格納されそしてＬＣＤＣ６によって読み出される表示データは、第１実施例と同様に、１６ｂｉｔ（２バイト）構成であり、モノクロ表示時には該１６ｂｉｔのＬＳＢ側５ｂｉｔにモノクロ表示の階調データが格納される。画像データ分離６０が、ＶＲＡＭ７から読み出した１６ｂｉｔのＬＳＢ側４ｂｉｔを階調データとして摘出してアドレス指定データとしてパターンレジスタＰｒｇに出力する。
【００７０】
図２１に、第４実施例においてＲＯＭ２に格納した基本パターングループＧＰＴＮＡ，ＧＰＴＮＢ，ＧＰＴＸＢおよびＧＰＴＮＤの、各グループ内の画素ブロックデータ（階調表現パターン）を示す。該画素ブロックのサイズは、本実施例では、４×４画素マトリクスであり、１画素に１ビットが割り当てられている。該ビットの「１」は表示（点灯；オン）を指示し、「０」は非表示（消灯；オフ）を指示する。
【００７１】
カウンタ４８，４９のカウントデータＸｂ，Ｙｂの組み合わせによって、０〜１５の数値を表すことができ、この数値が、フレーム同期信号の到来毎にかわる。この数値に、表現階調値は同じであるが、オン／オフ分布が異なる１６種の階調パターンのそれぞれが、図２２の（ｂ）に示すように、ブロックＮｏ．として割り付けられている。図２２の（ｂ）の４グループの中の、左上のグループはＹｂ＝０に、右上のグループはＹｂ＝１に、左下のグループはＹｂ＝２に、そして右下のグループはＹｂ＝３によって、それぞれ指定されるものである。各グループ内の第１番（左端）のブロックはＸｂ＝０に、第２番のブロックはＸｂ＝１に、第３番のブロックはＸｂ＝２に、そして第４番のブロックはＸｂ＝３によって、それぞれ指定されるものである。なお、パターンの内部データは、階調データＢによって指定されるものである。
【００７２】
上述の、フレーム同期信号の、カウンタ４８，４９によるカウントと、カウントデータＸｂによる基本パターングループの指定およびカウントデータＹｂによる水平シフト量の指定により、図２２の（ｂ）に示すブロックＮｏ．が、１セクション（４×４画素ブロック）内に、図１１に示すように割り付けられる。
【００７３】
セレクタ５７は、セレクタ５６が出力する２バイトの画素ブロックデータＤｂｓ（図８の（ｂ）に示すパラレルビット配列ａ〜ｐ）を、出力制御７０に、画像同期信号に同期して、１ビットずつシリアル出力する。すなわち、水平画素カウンタ４４の、画素ブロック内の水平方向の画素位置を表す画素番号データＸｐと、垂直画素カウンタ４５の、画素ブロック内の垂直方向の画素（ライン）位置を表す画素（ライン）番号データＹｐの組み合わせ（画素ブロック内画素位置）を、エンコーダ５８が、図８の（ｂ）に示す２バイト構成の画素ブロックデータ群内のビット位置データＮｐ（０〜１５）に符号化する。セレクタ５７は、２バイト構成の画素ブロックデータ群内の、ビット位置データＮｐが指定するビットデータＤｐを出力する。出力制御７０は、ＬＣＤ１１の表示ラスター走査に同期して、ビットデータＤｐをＬＣＤ１１にシリアル出力する。
【００７４】
１セクションにブロック０〜ブロック１５を使用したので、１６×１６画素マトリックスとなるセクションの点灯画素（「１」）は図２３に示す分布となる。最終的に各画素の点灯回数は、図２２の（ｂ）に示すように階調データＢが５の場合は、図１３に示すように、５／１６回となり、４×４画素マトリクス（画素ブロック）内のすべての画素が５／１６回点灯する。
【００７５】
１セクションにブロック０〜ブロック１５を使用したので、１６×１６画素マトリックスとなるセクションの点灯画素（「１」）は図２３に示す分布となる。最終的に各画素の点灯回数は、図２２の（ｂ）に示すように階調データＢが５の場合は、図１３に示すように、５／１６回となり、４×４画素マトリクス（画素ブロック）内のすべての画素が５／１６回点灯する。
【００７６】
この第４実施例の垂直シフタ５５ｂを用いても、第２実施例と同様なカラー階調表示装置を構成することが可能である。
【図面の簡単な説明】
【００７７】
【図１】本発明の第１実施例の階調表示装置を装備した操作ボード１０を備える複合機能複写機ＭＦ１の機構概要を示す縦断面図である。
【図２】図１に示す複写機ＭＦ１の操作ボード１０上面の一部を示す拡大平面図である。
【図３】（ａ）は、操作ボード１０に「読み取り」が入力されたときに操作ボード１０の液晶ディスプレイ１１に表示される「読み取り」入力画面を示す拡大平面図、（ｂ）は原稿読み取りで得た画像を表示した画像表示画面を示す拡大平面図である。
【図４】操作ボード１０の電気系統の構成の概要を示すブロック図である。
【図５】図４に示すＬＣＤＣ（表示コントローラ）６の機能構成の概要を示すブロック図である。
【図６】図４に示すＲＯＭ２に格納されていて、ＲＡＭ３に設定された図５に示すパターンレジスタＰｒｇに書き込まれる基本パターングループの画素ブロックデータを、ブロック内画素分布に対応付けて示すブロック図である。
【図７】階調値に割り付けた基本パターングループ内パターンデータの識別記号を示す図表である。
【図８】（ａ）は、１画素ブロック内の各画素に宛てた各表示ビットをａ〜ｐの記号で示す、ビット分布パターンの平面図、（ｂ）は、（ａ）の１画素ブロック宛てのビットａ〜ｐの、メモリ読み書きおよびデータ転送におけるビット配列を示すブロック図である。
【図９】（ａ）は、図８の（ａ）に示す１画素ブロック内のビット配列を、右９０°，右１８０°および右２７０°回転した回転したビット配列を示す平面図、（ｂ）は、図５に示す回転５５の、右９０°回転部５５ａ，右１８０°回転部５５ｂおよび右２７０°回転部５５ｃの構成を示す平面図である。
【図１０】図５に示すパターンレジスタＰｒｇから、階調値５宛てに読み出された基本パターングループの基本パターンデータと、それを回転した回転パターンデータ、合わせて１６種の、１セクション（４×４ブロック）内に配列されるパターン群を示すブロック図である。
【図１１】図５に示すカウンタ４８，４９のカウントデータＸｂ，Ｙｂで表される、セクション内ブロック番号の配列を示す平面図であり、図１１上の各ブロック番号は、図１０に示す１６種のパターン群の各パターンを表す。
【図１２】図１１に示すブロック番号配列によって生成される１セクション内の、階調値９宛ての表示データ分布を示す平面図であり、「１」は１画素の点灯を指示し、「０」は消灯を指示する。
【図１３】図１２に示すフレームの切換りに連動する表示データ分布の切換りによって、１６フレーム期間に表現される各画素ブロックの階調比（点灯画素数／全画素数）を示す図表である。
【図１４】本発明の第２実施例の、カラー階調表示装置の主要部を示すブロック図である。
【図１５】図１４に示すＲ，Ｇ，Ｂ中間調処理のそれぞれにおけるセクション内ブロック番号の配列を示す平面図である。
【図１６】第３実施例のＬＣＤＣ（表示コントローラ）６の機能構成の概要を示すブロック図である。
【図１７】第３実施例のＲＯＭ２に格納されていて、ＲＡＭ３に設定された図１６に示すパターンレジスタＰｒｇに書き込まれる基本パターングループの画素ブロックデータを、ブロック内画素分布に対応付けて示すブロック図である。
【図１８】図１６に示すパターンレジスタＰｒｇから、階調値５宛てに読み出された基本パターングループの基本パターンデータと、それを回転した回転パターンデータ、合わせて１６種の、１セクション（４×４ブロック）内に配列されるパターン群を示すブロック図である。
【図１９】第３実施例において、図１１に示すと同様なブロック番号配列によって生成される１セクション内の、階調値９宛ての表示データ分布を示す平面図であり、「１」は１画素の点灯を指示し、「０」は消灯を指示する。
【図２０】第４実施例のＬＣＤＣ（表示コントローラ）６の機能構成の概要を示すブロック図である。
【図２１】第４実施例のＲＯＭ２に格納されていて、ＲＡＭ３に設定された図２０に示すパターンレジスタＰｒｇに書き込まれる基本パターングループの画素ブロックデータを、ブロック内画素分布に対応付けて示すブロック図である。
【図２２】図２０に示すパターンレジスタＰｒｇから、階調値５宛てに読み出された基本パターングループの基本パターンデータと、それを回転した回転パターンデータ、合わせて１６種の、１セクション（４×４ブロック）内に配列されるパターン群を示すブロック図である。
【図２３】第４実施例において、図１１に示すと同様なブロック番号配列によって生成される１セクション内の、階調値９宛ての表示データ分布を示す平面図であり、「１」は１画素の点灯を指示し、「０」は消灯を指示する。
【符号の説明】
【００７８】
１１：液晶タッチパネル
【図１】
2006251614.tif 000003
【図２】
2006251614.tif 000004
【図３】
2006251614.tif 000005
【図４】
2006251614.tif 000006
【図５】
2006251614.tif 000007
【図６】
2006251614.tif 000008
【図７】
2006251614.tif 000009
【図８】
2006251614.tif 000010
【図９】
2006251614.tif 000011
【図１０】
2006251614.tif 000012
【図１１】
2006251614.tif 000013
【図１２】
2006251614.tif 000014
【図１３】
2006251614.tif 000015
【図１４】
2006251614.tif 000016
【図１５】
2006251614.tif 000017
【図１６】
2006251614.tif 000018
【図１７】
2006251614.tif 000019
【図１８】
2006251614.tif 000020
【図１９】
2006251614.tif 000021
【図２０】
2006251614.tif 000022
【図２１】
2006251614.tif 000023
【図２２】
2006251614.tif 000024
【図２３】
2006251614.tif 000025